(57)【要約】【課題】  メモリの有効活用が可能となると共にユーザに煩わしい操作を強いることのない電話装置を提供する。【解決手段】  着信履歴に発呼を行ってきた相手先の電話番号が格納されている状態で（図２（Ａ））、ユーザが発呼操作を行うと（図２（Ｂ））、発呼を行った相手先の電話番号を自動的に着信履歴から削除する（図２（Ｃ））。例えば、０９０××××××××に対して発呼を行うと、着信履歴の中から０９０××××××××の履歴を全て削除する。【選択図】  図２
2010171595.tif 000002
【特許請求の範囲】
【請求項１】
着信のあった相手先の電話番号を複数格納可能な着信履歴機能を有する電話装置であり、
入力又は選択した電話番号へ発信し、当該発信した電話番号が前記着信履歴に格納されていると、当該格納されている電話番号を前記着信履歴から自動的に削除することを特徴とする電話装置。
【請求項２】
着信のあった相手先の電話番号を複数格納可能な着信履歴機能を有する電話装置であり、
入力又は選択した電話番号へ発信し、当該発信に対して相手先が応答し、且つ、発信した電話番号が前記着信履歴に格納されていると、当該格納されている電話番号を前記着信履歴から自動的に削除することを特徴とする電話装置。
【請求項３】
着信のあった相手先の電話番号を複数格納可能な着信履歴機能を有する電話装置であり、
入力又は選択した電話番号へ発信し、発信した前記電話番号の相手先との通話が終了し、且つ、発信した電話番号が前記着信履歴に格納されていると、当該格納されている電話番号を前記着信履歴から自動的に削除することを特徴とする電話装置。
【請求項４】
発信した相手先の電話番号を複数格納可能な発信履歴機能を有する電話装置であり、
入力又は選択した電話番号へ発信し、当該発信に対して相手先が応答し、且つ、発信した電話番号が前記発信履歴に格納されていると、当該格納されている電話番号を前記発信履歴から自動的に削除することを特徴とする電話装置。
【請求項５】
発信した相手先の電話番号を複数格納可能な発信履歴機能を有する電話装置であり、
入力又は選択した電話番号へ発信し、発信した前記電話番号の相手先との通話が終了し、且つ、発信した電話番号が前記発信履歴に格納されていると、当該格納されている電話番号を前記発信履歴から自動的に削除することを特徴とする電話装置。
【請求項６】
着信のあった相手先の電話番号を複数格納可能な着信履歴機能を有する電話装置であり、
電話番号を入力する入力手段と、当該入力手段により入力された電話番号へ発信を行う発信手段と、着信のあった電話番号を格納可能な着信履歴格納手段と、前記入力手段により電話番号が入力され、当該入力された電話番号が前記発信手段により発信されると、当該発信手段により発信された電話番号を前記着信履歴格納手段から消去する制御手段と、を有することを特徴とする電話装置。
【請求項７】
着信のあった相手先の電話番号を複数格納可能な着信履歴機能を有する電話装置であり、
電話番号を入力する入力手段と、当該入力手段により入力された電話番号へ発信を行う発信手段と、着信のあった電話番号を格納可能な着信履歴格納手段と、前記発信手段により発信した相手先が着信に応答したか否かを検出する応答検出手段と、前記入力手段により電話番号が入力され、当該入力された電話番号が前記発信手段により発信され、その後前記応答検出手段により前記相手先が着信に応答したことが検出されると、前記発信手段により発信された電話番号を前記着信履歴格納手段から消去する制御手段と、を有することを特徴とする電話装置。
【請求項８】
請求項７に記載の電話装置であり、前記応答検出手段は、相手先の音声信号を検出したか否かにより前記相手先が着信に応答したか否かを判定することを特徴とする。
【請求項９】
着信のあった相手先の電話番号を複数格納可能な着信履歴機能を有する電話装置であり、
電話番号を入力する入力手段と、当該入力手段により入力された電話番号へ発信を行う発信手段と、着信のあった電話番号を格納可能な着信履歴格納手段と、前記発信手段により発信した相手先が着信に応答し通話が終了したか否かを検出する通話終了検出手段と、前記入力手段により電話番号が入力され、当該入力された電話番号が前記発信手段により発信され、その後前記通話終了検出手段により通話が終了したことが検出されると、前記発信手段により発信された電話番号を前記着信履歴格納手段から消去する制御手段と、を有することを特徴とする電話装置。
【発明の詳細な説明】
【技術分野】
【０００１】
本発明は、留守番電話装置やコードレス電話装置等の電話装置に関する。
【背景技術】
【０００２】
日本電信電話株式会社が提供するサービスの一つにナンバーディスプレイサービスがある。このサービスに対応する電話装置では、着信時に回線から受信した発信側の電話番号を表示部に表示することができる。そのため、ユーザはだれからの着信であるかを知ることが可能である。
【０００３】
また、最近市販されているナンバーディスプレイサービスに対応した電話装置の中には、着信履歴や発信履歴の機能を有するものもある。この機能を有する電話装置は、着信時に発信側から電話番号を受信した場合には、着信履歴に電話番号が残され、更にこの電話番号に対応する氏名の情報が電話帳メモリに格納されている場合には、この電話番号に対応する氏名の情報を着信履歴に残すようになっている。一方、発信側が公衆電話から電話をかけた場合や、電話番号の頭に「１８４」を付加して電話をかけた場合には、着信時に発信側から電話番号を受信できない。このような場合には、着信履歴には、電話番号ではなく例えば「非通知設定」という文字が残される。
【０００４】
更に、この着信履歴に関する特許も数多く開示されており、例えば特許文献１には、着信履歴の格納件数が限度を超えた場合には最も古いものから順に自動的に消去していき、且つ、履歴を消去する際に不在着信の履歴は消去しない技術が記載されている。
【先行技術文献】
【特許文献】
【０００５】
【特許文献１】特開２００５−１１０００２号公報
【発明の概要】
【発明が解決しようとする課題】
【０００６】
着信履歴の機能は、着信があった際に外出中等の理由によりユーザが電話に出られなかった場合に、ユーザが帰宅後に、外出中に誰から着信があったかを確認することを可能にしているが、ユーザが着信履歴を見て着信があったことを確認し、発信してきた相手先に対して折り返し電話をかけた後には、着信履歴に記憶されている電話をかけた相手先の電話番号の情報は不要となり、着信履歴にその電話番号の情報を残してもメモリの記憶領域を無駄に使用してしまうといった問題が発生する。
【０００７】
かといって、一々電話をかけた相手先の着信履歴を削除する操作を行うのも、ユーザにとって煩わしく好ましくない。
【０００８】
特許文献１には、最も古い着信履歴から順に削除する技術が記載されているが、着信履歴のうち、電話をかけた相手先の電話番号の情報をどうするかについては考慮されていない。
【課題を解決するための手段】
【０００９】
請求項１に記載の発明は、着信のあった相手先の電話番号を複数格納可能な着信履歴機能を有する電話装置であり、入力又は選択した電話番号へ発信し、当該発信した電話番号が前記着信履歴に格納されていると、当該格納されている電話番号を前記着信履歴から自動的に削除することを特徴とする。
請求項２に記載の発明は、着信のあった相手先の電話番号を複数格納可能な着信履歴機能を有する電話装置であり、入力又は選択した電話番号へ発信し、当該発信に対して相手先が応答し、且つ、発信した電話番号が前記着信履歴に格納されていると、当該格納されている電話番号を前記着信履歴から自動的に削除することを特徴とする。
請求項３に記載の発明は、着信のあった相手先の電話番号を複数格納可能な着信履歴機能を有する電話装置であり、入力又は選択した電話番号へ発信し、発信した前記電話番号の相手先との通話が終了し、且つ、発信した電話番号が前記着信履歴に格納されていると、当該格納されている電話番号を前記着信履歴から自動的に削除することを特徴とする。
請求項４に記載の発明は、発信した相手先の電話番号を複数格納可能な発信履歴機能を有する電話装置であり、入力又は選択した電話番号へ発信し、当該発信に対して相手先が応答し、且つ、発信した電話番号が前記発信履歴に格納されていると、当該格納されている電話番号を前記発信履歴から自動的に削除することを特徴とする。
請求項５に記載の発明は、発信した相手先の電話番号を複数格納可能な発信履歴機能を有する電話装置であり、入力又は選択した電話番号へ発信し、発信した前記電話番号の相手先との通話が終了し、且つ、発信した電話番号が前記発信履歴に格納されていると、当該格納されている電話番号を前記発信履歴から自動的に削除することを特徴とする。
請求項６に記載の発明は、着信のあった相手先の電話番号を複数格納可能な着信履歴機能を有する電話装置であり、電話番号を入力する入力手段と、当該入力手段により入力された電話番号へ発信を行う発信手段と、着信のあった電話番号を格納可能な着信履歴格納手段と、前記入力手段により電話番号が入力され、当該入力された電話番号が前記発信手段により発信されると、当該発信手段により発信された電話番号を前記着信履歴格納手段から消去する制御手段と、を有することを特徴とする。
請求項７に記載の発明は、着信のあった相手先の電話番号を複数格納可能な着信履歴機能を有する電話装置であり、電話番号を入力する入力手段と、当該入力手段により入力された電話番号へ発信を行う発信手段と、着信のあった電話番号を格納可能な着信履歴格納手段と、前記発信手段により発信した相手先が着信に応答したか否かを検出する応答検出手段と、前記入力手段により電話番号が入力され、当該入力された電話番号が前記発信手段により発信され、その後前記応答検出手段により前記相手先が着信に応答したことが検出されると、前記発信手段により発信された電話番号を前記着信履歴格納手段から消去する制御手段と、を有することを特徴とする。
請求項８に記載の発明は、請求項７に記載の電話装置であり、前記応答検出手段は、相手先の音声信号を検出したか否かにより前記相手先が着信に応答したか否かを判定することを特徴とする。
請求項９に記載の発明は、着信のあった相手先の電話番号を複数格納可能な着信履歴機能を有する電話装置であり、電話番号を入力する入力手段と、当該入力手段により入力された電話番号へ発信を行う発信手段と、着信のあった電話番号を格納可能な着信履歴格納手段と、前記発信手段により発信した相手先が着信に応答し通話が終了したか否かを検出する通話終了検出手段と、前記入力手段により電話番号が入力され、当該入力された電話番号が前記発信手段により発信され、その後前記通話終了検出手段により通話が終了したことが検出されると、前記発信手段により発信された電話番号を前記着信履歴格納手段から消去する制御手段と、を有することを特徴とする。
【発明の効果】
【００１０】
本発明によれば、発信した電話番号を一々着信履歴又は発信履歴から削除する操作を行う必要がない為、ユーザに煩わしい操作を強いるといった従来の問題を回避することができる。
又、発信し応答した相手先や通話が終了した相手先の電話番号を自動的に着信履歴又は発信履歴から削除するため、メモリの記憶領域を有効的に活用することが可能である。
【図面の簡単な説明】
【００１１】
【図１】本発明の一実施形態に係る電話装置のブロック図である。
【図２】本発明のディスプレイの表示形態を示す図である。
【図３】本実施例装置の動作を示すフロー図である。
【発明を実施するための形態】
【００１２】
次に、本発明の一実施形態に係る電話装置について、図面を参照して説明する。なお、本実施形態の電話装置では有線により通信を行う留守番電話装置について説明するが、本発明は、この種の電話装置に限られることはなく、コードレス電話装置や、電話機能を有するファクシミリ装置、携帯電話装置等にも適用することができるものである。尚、本実施例の説明では、電話番号先へ呼び出しを行うこと（発呼）を発信という表現で説明している。
【実施例】
【００１３】
図１に示すように、電話装置１０は、電話回線５６が接続された回線制御部１４を備えている。この回線制御部１４は、電話回線５６の開放制御又は閉結制御や着信検出等を行う。この回線制御部１４には、着信時に電話回線５６から送信される発信者電話番号に関する情報を受信するナンバーディスプレイ機能を実現するためのＮＤ部５８が内蔵されている。
また、回線制御部１４には、切替回路２２が接続されている。この切替回路２２には、
増幅回路２４を介して第１スピーカ２６が接続されている。この第１スピーカ２６は、増幅回路２４で増幅された回線制御部１４の電気信号を音声に変換する。この第１スピーカ２６は、ユーザの耳にあてて通話に使用される。
【００１４】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されて回線制御部１４に出力される。
尚、前記第１スピーカ２６とマイクロホン３０とからハンドセット（図示せず）が構成される。
【００１５】
また、切替回路２２には、増幅回路３２を介して第２スピーカ３４が接続されている。この第２スピーカ３４は、増幅回路３２で増幅された回線制御部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００１６】
この切替回路２２は、回線制御部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００１７】
また、回線制御部１４及び切替回路２２には、制御回路（制御手段）３６がそれぞれ接続されている。この制御回路３６の制御により上述した切替回路２２による切り替えが行われる。
制御回路３６は、ＲＡＭ（Random  Access  Memory）４０と接続されており、ＲＡＭ４０には、着信履歴、発信履歴、電話帳等の情報が格納されている。
まず、電話帳についてであるが、電話帳は相手先の電話番号と氏名を対で複数件格納可能な機能である。尚、電話帳について、相手先の電話番号と氏名だけでなく、相手先の誕生日やメールアドレス、血液型等も格納可能としても良い。
次に、着信履歴についてであるが、着信履歴は図２の（Ａ）に記載されているように、着信があった相手先の電話番号（又は氏名）と着信があった日付（時間も格納しても良い）が複数件数格納可能な機能である。
この着信履歴は本実施例では例えば１５件格納可能であり、着信履歴に氏名を格納する場合には、着信時に回線から受信した電話番号が電話帳メモリに格納されていれば対応する氏名の情報を電話帳メモリから読み出し、着信履歴に格納している。
最後に、発信履歴についてであるが、発信履歴は発信した相手先の電話番号（又は氏名）と発信した日付（時間も格納しても良い）が複数件数格納可能な機能である。
ＲＯＭ（Read  Only  Memory）３８には、制御回路３６の動作に必要なシステムプログラムが格納されている。このシステムプログラムは工場出荷時には既に書込まれており、ユーザはこのシステムプログラムを削除、変更することはできない。
【００１８】
また、制御回路３６には、入力部４４が接続されている。この入力部４４は、電話番号等の入力を行うテンキー４８と、各種機能の設定を行う機能キー５４と、着信履歴キー７０等、からなる。
【００１９】
また、制御回路３６には、所定の色のＬＥＤ素子を備えた照明部４６が接続されている。照明部４６のＬＥＤ素子の発光により、ディスプレイ４２が所定の色に施される。
【００２０】
次に本実施例装置の動作について説明する。まず、本実施例装置の動作の概略を図２を用いて説明する。尚、図２はディスプレイ４２の表示形態を示しており、図２の（Ａ）は着信履歴を表示している際のディスプレイ４２の表示形態を示している。又、図２の（Ｂ）は発信を行っている際のディスプレイ４２の表示形態を示しており、図３の（Ｃ）は発信後の着信履歴を表示している際のディスプレイ４２の表示形態を示している。
【００２１】
まず、着信があった後に（着信履歴に情報が格納されている状態で）ユーザが着信履歴キー７０を押下することにより、着信履歴がディスプレイ４２に表示される（図２（Ａ））。この時、着信履歴には例えば４件の相手先の電話番号（又は氏名）が表示されており、１２月１３日に着信のあった０９０××××××××、１２月１１日に着信のあった０８５７１１××××、１２月１０日に着信のあった０９０××××××××、１２月７日に着信のあった佐伯くん、が表示されている。ユーザがこの着信履歴を見て、１２月１３日に着信のあった０９０××××××××の電話番号へ発信をかけると図２（Ｂ）に示す表示となる。そして、この発信が終了した後に再度着信履歴を表示する時には、発信した０９０××××××××の着信履歴は全て消去された状態となる（図２（Ｃ））。このように、本実施例装置は、発信した電話番号が着信履歴に存在する場合には、その電話番号からの着信履歴を全て消去するというものである。そうすることにより、不必要な電話番号情報を着信履歴から自動的に消去することが可能となり、限られた着信履歴の容量を有効的に活用することが可能となる。
【００２２】
続いて、本実施例装置の動作をより詳細に説明する。図３は本実施例装置の動作を示すフロー図であり、図１のブロック図、図２の表示形態を示す図、図３のフロー図を用いて以下に詳細に説明する。
【００２３】
図３のフロー図において、まずＳ０１ステップでは、制御回路３６は、回線制御部１４から回線から着信信号を受信したことを示す信号を検出すると着信ありと判定し、Ｓ０２ステップへ処理を進める。
【００２４】
Ｓ０２ステップでは、制御回路３６は、ＮＤ部５８から回線から発信側の電話番号の情報を受信したことを示す信号を検出すると、受信した電話番号をディスプレイ４２に表示させ、Ｓ０３ステップへ処理を進める。尚、この時、発信側が公衆電話から電話をかけている場合や、電話番号の先頭に「１８４」を付加して発信を行っている場合には交換機から発信側の電話番号の情報が送信されないため、このような場合にはＮＤ部５８は発信側の電話番号の情報を受信することはできない。
【００２５】
Ｓ０３ステップでは、制御回路３６は、スピーカ３４から着信音を鳴動させ、Ｓ０４ステップへ処理を進める。
【００２６】
Ｓ０４ステップでは、制御回路３６は、回線制御部１４から着信信号を受信したことを示す信号を検出しなくなったと判定すると、着信が終了したと判定してＳ０８ステップへ処理を進め、一方、そうでなければＳ０５ステップへ処理を進める。
【００２７】
Ｓ０５ステップでは、制御回路３６は、フック検出部５０からハンドセットがオフフックされたことを示す信号を検出すると、Ｓ０６ステップへ処理を進め、そうでなければＳ０４ステップへ処理を戻す。
【００２８】
Ｓ０６ステップでは、制御回路３６は、回線制御部１４を制御することにより回線を接続し通話処理を行なう。
【００２９】
Ｓ０７ステップでは、制御回路３６は、ハンドセットがオンフックされたことを示す信号をフック検出部５０から検出するか、回線制御部１４から回線が切断されたことを示す信号を検出すると、通話が終了したと判定し通話処理を終了する。
【００３０】
Ｓ０８ステップでは、制御回路３６は、スピーカ３４からの着信音の鳴動を停止すると共にディスプレイ４２への電話番号の表示を停止する。続くＳ０９ステップでは、Ｓ０２ステップで検出した電話番号を着信履歴に格納する。尚、このとき、Ｓ０２ステップで検出した電話番号が電話帳に格納されていると判定すると、その電話番号に対応する氏名を着信履歴に格納する。
【００３１】
続くＳ１０ステップでは、制御回路３６は、発信操作があるか否かを判定し、発信操作があると判定するとＳ１１ステップへ処理を進め、そうでなければ処理を終了する。
【００３２】
Ｓ１１ステップでは、制御回路３６は、回線制御部１４から回線が接続されたことを示す信号を検出すると相手先が着信に応答したと判定しＳ１２ステップへ処理を進め、そうでなければハンドセットのオンフックに応じて発信動作処理を終了する。
【００３３】
Ｓ１２ステップでは、制御回路３６は、回線制御部１４と切替回路２２を制御することにより回線とハンドセット間の通話路を形成し、通話を開始する。続くＳ１３ステップにおいて、制御回路３６は、ハンドセットがオンフックされたことを示す信号をフック検出部５０から検出するか、回線制御部１４から回線が切断されたことを示す信号を検出すると、通話が終了したと判定し通話処理を終了する。
【００３４】
Ｓ１４ステップでは、制御回路３６は、Ｓ１０ステップで発信した相手先の電話番号がＲＡＭ４０の着信履歴に格納されていると判定すると、その電話番号からの着信履歴を全て削除する。
【００３５】
尚、本実施例装置では、Ｓ１０ステップにおいて発信を行い、相手先が応答し（Ｓ１１ステップ）通話が終了した（Ｓ１３ステップ）後にＳ１５ステップにおいて発信した電話番号を着信履歴から削除する構成しとしたが、Ｓ１０ステップにおいて発信を行うと、発信した電話番号を着信履歴から削除する構成としても良い。或いは、発呼を行い相手先が発呼に応答すると、電話番号を着信履歴から削除する構成としても良い。
【００３６】
又、本実施例では、発信した電話番号を着信履歴から削除する構成としたが、発信した電話番号と同じ電話番号が発信履歴に格納されていると自動的にその電話番号を削除する構成としても良い。この電話番号を削除するタイミングとしては、その電話番号へ発呼を行い相手先が発呼に応答すると、または通話が終了したタイミング等としても良い。このように発信した電話番号を発信履歴から削除する構成にすると、次のような効果が得られる。例えば、ユーザが発信履歴を見て相手先に用件を伝えたか否かを思い出すような使い方を行っていた場合、ユーザが発信後一々発信履歴から発信した相手先の電話番号を削除するといった面倒な操作を行う必要がない。又、通常の電話装置では発信履歴に格納可能な相手先の件数に限界があり、このように発信履歴の件数に限界がある発信履歴のメモリを有効活用することが可能である。
【００３７】
更に、本実施例装置では、相手先の電話番号へ発信を行った場合について実施したが、相手先のファクシミリ装置へファクシミリ送信を行った場合についても同様に発信履歴や着信履歴からファクシミリ番号を自動的に削除する構成としても良い。
【００３８】
又、発信した電話番号又は発信し相手先が通話に応答した電話番号を着信履歴や発信履歴から削除すると共に、その発信した時点の発信履歴は発信履歴に残さないようにしても良いし、残すようにしても良い。
【００３９】
更に、発信または着信した電話番号を着信履歴または発信履歴から削除するか否かの設定をユーザが設定可能としても良い。
【符号の説明】
【００４０】
１０      電話装置
３６      制御回路
４０      ＲＡＭ
４２      ディスプレイ
５０      フック検出部
５６      電話回線
７０      着信履歴キー
【図１】
2010171595.tif 000003
【図２】
2010171595.tif 000004
【図３】
2010171595.tif 000005